(57)【要約】【課題】身体の動きによる胸部及び襟部分の外観の乱れを抑制する。【解決手段】第１前身頃は、第２前身頃側に、裾側から襟側に向けて延在する辺に沿った領域である第１合わせ部と、この辺と連続し、かつ、第２前身頃から離間する方向に傾斜する第１襟部とを備える。また、第２前身頃は、第１前身頃側に、裾側から襟側に向けて延在する辺に沿った領域である第２合わせ部と、この辺と連続し、かつ、第１前身頃から離間する方向に傾斜する第２襟部とを備える。さらに、第１合わせ部の表側と、第２合わせ部の裏側とを留める、合わせ部係合手段と、合わせ部係合手段より第１襟部及び第２襟部側であって、第１襟部及び第２襟部と、第１合わせ部及び第２合わせ部とが接続される領域近傍に設けられた、第１合わせ部又は第１襟部の裏側と第２合わせ部又は第２襟部の裏側とを留める、補助係合手段とを備える。【選択図】図１
2019099928.tif 000002
【特許請求の範囲】
【請求項１】
左右に分けて形成された前身頃である、第１前身頃、及び、第２前身頃を備える上着であって、
前記第１前身頃は、前記第２前身頃側に、裾側から襟側に向けて延在する辺に沿った領域である第１合わせ部と、該辺と連続し、かつ、前記第２前身頃から離間する方向に傾斜する第１襟部とを備え、
前記第２前身頃は、前記第１前身頃側に、裾側から襟側に向けて延在する辺に沿った領域である第２合わせ部と、該辺と連続し、かつ、前記第１前身頃から離間する方向に傾斜する第２襟部とを備え、
さらに、
前記第１合わせ部の表側と、前記第２合わせ部の裏側とを留める、合わせ部係合手段と、
前記合わせ部係合手段より前記第１襟部及び前記第２襟部側であって、前記第１襟部及び前記第２襟部と、前記第１合わせ部及び前記第２合わせ部とが接続される領域近傍に設けられた、前記第１合わせ部又は前記第１襟部の裏側と前記第２合わせ部又は前記第２襟部の裏側とを留める、補助係合手段と
を備える上着。
【請求項２】
ジャケット、コート、制服、又は、カーディガンである
請求項１に記載の上着。
【請求項３】
前記合わせ部係合手段が、
前記第１合わせ部の表側に設けられた、１又は複数のボタンと、
前記第２合わせ部に設けられた、１又は複数のボタンホールと
で構成される請求項１又は２に記載の上着。
【請求項４】
前記補助係合手段が、
前記第１合わせ部又は前記第１襟部の裏側に設けられたホックと、
前記第２合わせ部又は前記第２襟部の裏側に設けられた糸ループと
で構成される請求項１〜３のいずれか一項に記載の上着。
【請求項５】
前記第１襟部及び前記第２襟部と、前記第１合わせ部及び前記第２合わせ部とが接続される領域が、着用時のバストトップより裾側に設けられる
請求項１〜４のいずれか一項に記載の上着。
【発明の詳細な説明】
【技術分野】
【０００１】
この発明は、特に、身体の動きによる外観の乱れを抑制する、上着に関するものである。
【背景技術】
【０００２】
スーツの上着のように外観が重要である上着について、着ている人に不快感を与えず、また、腕の可動範囲を大きくする上着が提案されている（例えば、特許文献１参照）。
【先行技術文献】
【特許文献】
【０００３】
【特許文献１】特許第６１７２８１２号
【発明の概要】
【発明が解決しようとする課題】
【０００４】
ここで、例えば、ジャケットでは、対となる前身頃を留めるボタンが腹部位置にあるなど、襟元がＶ字状に大きく開いたデザインのものなどがある。
【０００５】
このようなデザインのジャケットでは、直立時の外観に対し、お辞儀などの前傾姿勢や、腕を広げる動作などを行った時に、胸元が大きく開いてしまうなど、外観が乱れてしまう場合がある。これは、胸部の筋肉が発達したアスリートや、胸の膨らみの大きい女性においては顕著である。
【０００６】
この発明は、上述の問題点に鑑みてなされたものであり、この発明の目的は、女性用に限らず、身体の動きによる外観の乱れを抑制する上着を提供することにある。
【課題を解決するための手段】
【０００７】
上述した目的を達成するために、この発明の、左右に分けて形成された前身頃である、第１前身頃、及び、第２前身頃を備える上着は、以下のように構成される。
【０００８】
第１前身頃は、第２前身頃側に、裾側から襟側に向けて延在する辺に沿った領域である第１合わせ部と、この辺と連続し、かつ、第２前身頃から離間する方向に傾斜する第１襟部とを備える。また、第２前身頃は、第１前身頃側に、裾側から襟側に向けて延在する辺に沿った領域である第２合わせ部と、この辺と連続し、かつ、第１前身頃から離間する方向に傾斜する第２襟部とを備える。さらに、第１合わせ部の表側と、第２合わせ部の裏側とを留める、合わせ部係合手段と、合わせ部係合手段より第１襟部及び第２襟部側であって、第１襟部及び第２襟部と、第１合わせ部及び第２合わせ部とが接続される領域近傍に設けられた、第１合わせ部又は前記第１襟部の裏側と前記第２合わせ部又は前記第２襟部の裏側とを留める、補助係合手段とを備える。
【０００９】
この発明の上着は、例えば、ジャケット、コート、制服、又は、カーディガンである。
【００１０】
この発明の上着の好適実施例によれば、合わせ部係合手段が、第１合わせ部の表側に設けられた、１又は複数のボタンと、第２合わせ部に設けられた、ボタンホールとで構成される。
【００１１】
また、上述した上着の実施にあたり、好ましくは、補助係合手段が、第１合わせ部又は第１襟部の裏側に設けられたホックと、第２合わせ部又は第２襟部の裏側に設けられた糸ループとで構成されるのが良い。
【発明の効果】
【００１２】
この発明の上着によれば、対となる前身頃の合わせに設けられる、１又は複数のボタンと、ボタンホールなどの合わせ部係合手段に加えて、第１前身頃と第２前身頃の裏側同士を留める補助係合手段を備えている。この補助係合手段は、留めていても留めていなくても直立時の外観にはほとんど影響しない。しかし、補助係合手段で留めることにより、前傾姿勢や腕を広げる動作を行った際に、合わせ付近の第１前身頃と第２前身頃の裏側同士が離間する方向への動きが抑えられ、胸元が大きく開くなど、外観の乱れを抑制することができる。
【００１３】
特に、合わせ部係合手段を、ボタンと横長のボタンホールとで構成した場合、横方向（胸元が開く方向）の可動域が広く、胸元が開きやすくなるが、補助係合手段は可動域を狭め胸元が開く動きを抑えるので効果的である。
【００１４】
なお、補助係合手段は、表側（外側）との境目に近く、合わせ部係合手段を留めずに着用した場合に目につく恐れがあるが、糸ループで構成することにより、目立たなくすることができる。
【００１５】
また、この発明の上着は、特に、第１襟部及び第２襟部と、第１合わせ部及び第２合わせ部とが接続される領域が、着用時のバストトップより裾側の腹部など、より低い位置に設けられたときに効果が大きい。
【図面の簡単な説明】
【００１６】
【図１】この発明の上着の後身頃と前身頃を展開した模式図である。
【図２】この発明の上着の外観を示す模式図である。
【図３】この発明の効果を示す写真である。
【発明を実施するための形態】
【００１７】
以下、図を参照して、この発明の実施の形態について説明するが、各構成要素の形状、大きさ及び配置関係については、この発明が理解できる程度に概略的に示したものに過ぎない。また、以下、この発明の好適な構成例につき説明するが、各構成要素の材質及び数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００１８】
図１及び図２を参照して、この発明の上着について説明する。図１は、この発明の上着の後身頃と前身頃を展開した模式図である。また、図２は、この発明の上着の外観を示す模式図である。
【００１９】
図１及び図２では、上着としてジャケットの例を示しているが、上着は、これに限定されない。ジャケット以外にも、コート、制服、又は、カーディガン等であってもよい。また、上着の材質については、任意好適なものを用いればよい。
【００２０】
前身頃は、左右に分かれて形成されている。ここでは、左半身側の前身頃を第１前身頃１２とし、右半身側の前身頃を第２前身頃１４とする。なお、右半身側の前身頃を第１前身頃１２とし、左半身側の前身頃を第２前身頃１４としても、この発明は適用される。また、背中側を後見頃２０とする。
【００２１】
第１前身頃１２は、第２前身頃側１４に、裾側から襟側に向けて延在する辺に沿った領域である第１合わせ部１２ａを備える。第１合わせ部１２ａは、上着を着用する際に第２前身頃１４と重なる部分である。第１前身頃１２は、さらに、第２前身頃１４側に、裾側から襟側に向けて延在する辺と連続して、第２前身頃１４から離間する辺に沿った領域である第１襟部１２ｂとを備える。第１襟部１２ｂには、襟５０が取り付けられる。
【００２２】
同様に、第２前身頃１４は、第１前身頃１２側に、裾側から襟側に向けて延在する辺に沿った領域である第２合わせ部１４ａを備える。第２合わせ部１４ａは、上着を着用する際に第１前身頃１２と重なる部分である。第２前身頃１４は、さらに、第１前身頃１２側に、裾側から襟側に向けて延在する辺と連続して、第１前身頃１２から離間する側に傾斜する辺に沿った領域である第２襟部１４ｂとを備える。第２襟部１４ｂには、襟５０が取り付けられる。
【００２３】
この例では、上着としてジャケットの例を示しているので、第１襟部１２ｂ及び第２襟部１４ｂと、着用者の首回りに襟５０があるものとするが、この発明の上着は、襟無し（カラーレス）の上着にも適用可能である。
【００２４】
着用時に、第１合わせ部１２ａと第２合わせ部１４ａは、第１合わせ部１２ａが着用者の体側（裏側、又は、内側とも称する。）となり、第２合わせ部１４ａが、着用者の体側とは反対側（表側、又は、外側とも称する。）となって重なる。合わせ部係合手段３０は、第１合わせ部１２ａの表側と、第２合わせ部１４ａの裏側とを留める。
【００２５】
合わせ部係合手段３０は、例えば、第１合わせ部１２ａの表側に設けられたボタン３２と、第２合わせ部１４ａに設けられたボタンホール３４とで構成される。なお、ボタン３２及びボタンホール３４については、１つでも良いし、裾側から襟側に向かう方向に沿って複数設けてもよい。合わせ部係合手段３０は、ボタン３２とボタンホール３４の組合せに限定されない。合わせ部係合手段３０として、ファスナー、面ファスナー、ドットボタン（スナップボタン）又はホックなど任意好適なものを用いることができる。
【００２６】
ここで、ジャケット等では、ボタンとボタンホールの組合せが多く使われている。このため、後述するように、特にボタンホールを横方向（裾側から襟側に向かう方向に直交する方向）に設けた場合、この発明がより効果的である。
【００２７】
この発明の上着は、合わせ部係合手段３０とは別に、補助係合手段４０を備えている。補助係合手段４０は、合わせ部係合手段３０より第１襟部１２ｂ及び第２襟部１４ｂ側であって、第１襟部１２ｂ及び第２襟部１４ｂと、第１合わせ部１２ａ及び第２合わせ部１４ａとが接続される領域近傍に設けられている。また、補助係合手段４０は、第１合わせ部１２ａ又は第１襟部１２ｂ（第１前身頃１２）の裏側と、第２合わせ部１４ａ又は第２襟部１４ｂ（第２前身頃１４）の裏側に、それぞれ設けられる。補助係合手段４０は、第１前身頃１２の裏側と、第２前身頃１４の裏側とを留める。補助係合手段４０は、例えば、第２前身頃１４の裏側に設けられたホック４２と、第１前身頃１２の裏側に設けられた糸ループ４４とで構成される。
【００２８】
補助係合手段４０は、第１襟部１２ｂ及び第２襟部１４ｂと、第１合わせ部１２ａ及び第２合わせ部１４ａとが接続される領域近傍で、着用した状態での直立時に、互いに近接する位置に設けられる。このため、この補助係合手段４０は、留めていても留めていなくても直立時の外観にはほとんど影響しない。すなわち、既存の上着に取り付けても、その上着の直立時の外観をほとんど変化させない。
【００２９】
しかし、補助係合手段４０で第１前身頃１２と第２前身頃１４の裏側同士を留めると、第１前身頃１２と第２前身頃１４の裏側同士が離間する方向への動きが抑えられる。これにより、前傾姿勢や腕を広げる動作を行った際に、第１前身頃１２と第２前身頃１４の裏側同士が離間する方向への動きが抑えられ、胸元が大きく開くなど、外観の乱れを抑制することができる。
【００３０】
特に、合わせ部係合手段３０を、ボタンと横長のボタンホールとで構成した場合、横方向（胸元が開く方向）の可動域が広く、胸元が開きやすくなるが、補助係合手段４０は可動域を狭め胸元が開く動きを抑えるので効果的である。
【００３１】
なお、合わせ部係合手段３０としてのボタン３２等は、デザインとしての機能を果たす場合があるが、補助係合手段自体４０は、目立たないように構成するのが好ましい。補助係合手段４０は、表側（外側）との境目に近く、合わせ部係合手段３０を留めずに着用した場合に目につく恐れがあるが、例えば糸ループで構成することにより、目立たなくすることができる。
【００３２】
そこで、補助係合手段４０の対となる要素のうちの一方を糸ループ４４で構成するのが良い。糸ループ４４を、前身頃の裏側と同じ色の糸などを用いて構成すれば、補助係合手段４０の要素の一方を目立たなくすることができる。
【００３３】
また、この発明の上着は、特に、第１襟部１２ａ及び第２襟部１４ａと、第１合わせ部１２ｂ及び第２合わせ部１４ｂとが接続される領域が、着用時のバストトップより裾側の腹部など、より低い位置に設けられたときに効果が大きい。
【００３４】
図３を参照して、この発明の上着、すなわち、補助係合手段として、ホックと糸ループを備える上着で得られる効果の例を説明する。図３は、この発明の上着の効果を示す写真である。図３（Ａ）及び（Ｃ）は、補助係合手段を留めていない場合を示し、図３（Ｂ）及び（Ｄ）は、補助係合手段を留めている場合を示す。また、図３（Ａ）及び（Ｂ）は、着用者が胸を張るなどせずに直立している状態を示し、図３（Ｃ）及び（Ｄ）は、胸を張っている状態を示している。
【００３５】
図３（Ａ）及び（Ｂ）を比較すると、直立時では、補助係合手段を留める場合と留めない場合とで差はほとんど見られない。
【００３６】
図３（Ａ）及び（Ｃ）を比較すると、補助係合手段を留めない場合、直立時に比べて、胸を張ると、上着の胸元が大きく開いている。一方、図３（Ｂ）及び（Ｄ）を比較すると、補助係合手段を留めた場合、直立時と胸を張った状態とで、外観に差がほとんど見られない。
【符号の説明】
【００３７】
１２、１４    前身頃
１２ａ、１４ａ    合わせ部
１２ｂ、１４ｂ    襟部
２０    後身頃    
３０    合わせ部係合手段    
４０    補助係合手段
５０    襟
【図１】
2019099928.tif 000003
【図２】
2019099928.tif 000004
【図３】
2019099928.tif 000005